(57)【特許請求の範囲】
【請求項１】
画像を読取る読取装置と、この読取装置からの読取画像が通信回線を介して送信される端末とからなる画像入力システムにおいて、
上記読取装置が、
画像を読取る読取手段と、
前記読取手段からの画像データを外部に出力する外部インターフェースと、
指の長手方向と直交する方向に長い複数の線状電極を指の長手方向に沿って所定間隔で配列してなり、被認証者の照合すべき指を載置するための線状電極アレイと、
この線状電極アレイの前記複数の線状電極を順次切換える切換手段と、
前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報と前記記憶手段内の前記被認証者の照合すべき指ごとの特徴情報とを照合する照合手段と、
前記照合手段の照合結果に基づいて前記被認証者が本人であるか他人であるかを判別する判別手段と、
前記判別手段による判別結果に基づいて前記被認証者が本人であるときのみ前記読取手段の使用を許容すると共に、前記外部インターフェースを介して前記読取手段からの画像データを前記被認証者が指ごとに予め設定した所定のデータ保管部に送信して保存する制御手段と、
を具備したことを特徴とする画像入力システム。
【請求項２】
画像を読取る読取装置と、この読取装置からの読取画像が通信回線を介して送信される端末とからなる画像入力システムにおいて、
上記読取装置が、
画像を読取る読取手段と、
前記読取手段からの画像データに対して施す処理を設定する設定手段と、
指の長手方向と直交する方向に長い複数の線状電極を指の長手方向に沿って所定間隔で配列してなり、被認証者の照合すべき指を載置するための線状電極アレイと、
この線状電極アレイの前記複数の線状電極を順次切換える切換手段と、
前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報と前記記憶手段内の前記被認証者の照合すべき指ごとの特徴情報とを照合する照合手段と、
前記照合手段の照合結果に基づいて前記被認証者が本人であるか他人であるかを判別する判別手段と、
前記判別手段による判別結果に基づいて前記被認証者が本人であるときのみ前記読取手段の使用を許容すると共に、前記設定手段を介して前記被認証者が指ごとに予め設定した処理を前記読取手段からの画像データに対して施す制御手段と、
を具備したことを特徴とする画像入力システム。
【請求項３】
画像を読取る読取装置と、この読取装置からの読取画像が通信回線を介して送信される端末とからなる画像入力システムにおける画像入力方法であって、
画像を読取るステップと、
指の長手方向と直交する方向に長い複数の線状電極を指の長手方向に沿って所定間隔で配列された線状電極アレイに、被認証者の照合すべき指を載置するステップと、
前記線状電極アレイの前記複数の線状電極を順次切換えるステップと、
前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、
前記抽出された前記被認証者の照合すべき指ごとの特徴情報を記憶手段内に予め記憶しておくステップと、
再度抽出された前記被認証者の照合すべき指ごとの特徴情報と前記記憶手段内の前記被認証者の照合すべき指ごとの特徴情報とを照合するステップと、
前記照合の結果に基づいて前記被認証者が本人であるか他人であるかを判別するステップと、
前記判別の結果に基づいて前記被認証者が本人であるときのみ前記画像の読取りを許容すると共に、前記読取られた画像データを前記被認証者が指ごとに予め設定した所定のデータ保管部に送信して保存するステップと、
を具備したことを特徴とする画像入力方法。
【請求項４】
画像を読取る読取装置と、この読取装置からの読取画像が通信回線を介して送信される端末とからなる画像入力システムにおける画像入力方法であって、
画像を読取るステップと、
前記読取られた画像データに対して施す処理を予め設定するステップと、
指の長手方向と直交する方向に長い複数の線状電極を指の長手方向に沿って所定間隔で配列された線状電極アレイに、被認証者の照合すべき指を載置するステップと、
前記線状電極アレイの前記複数の線状電極を順次切換えるステップと、
前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、
前記抽出された前記被認証者の照合すべき指ごとの特徴情報を記憶手段内に予め記憶しておくステップと、
再度抽出された前記被認証者の照合すべき指ごとの特徴情報と前記記憶手段内の前記被認証者の照合すべき指ごとの特徴情報とを照合するステップと、
前記照合の結果に基づいて前記被認証者が本人であるか他人であるかを判別するステップと、
前記判別の結果に基づいて前記被認証者が本人であるときのみ前記画像の読取りを許容すると共に、前記読取られた画像データに対して前記被認証者が指ごとに予め設定した処理を施すステップと、
を具備したことを特徴とする画像入力方法。
【請求項５】
画像を読取る読取装置と、この読取装置からの読取画像が通信回線を介して送信される端末とからなる画像入力システムにおいて、
上記読取装置が、
画像を読取る読取手段と、
指の長手方向と直交する方向に長い複数の線状電極を指の長手方向に沿って所定間隔で配列してなり、被認証者の照合すべき指を載置するための線状電極アレイと、
この線状電極アレイの前記複数の線状電極を順次切換える切換手段と、
前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報と前記記憶手段内の前記被認証者の照合すべき指ごとの特徴情報とを照合する照合手段と、
前記照合手段の照合結果に基づいて前記被認証者が本人であるか他人であるかを判別する判別手段と、
前記判別手段による判別結果に基づいて前記被認証者が本人であるときのみ前記読取手段の使用を許容すると共に、前記読取手段からの画像データを前記被認証者が指ごとに予め設定した所定のデータ保管部に送信して保存する制御手段と、
を具備したことを特徴とする画像入力システム。
【請求項６】
画像を読取る読取手段と、
被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報を前記記憶手段から読み出される特徴情報とを照合する照合手段と、
前記照合手段による照合結果に基き、前記読取手段に対する画像の入力動作を制御する制御手段とを具備し、
前記制御手段は、前記照合手段による照合結果が前記被認証者本人であるときのみ、前記読取手段の使用を許容すると共に、前記読取手段によって読取られた画像データに対して前記被認証者が指ごとに予め設定した所定のデータ保管部に送信して保存することを特徴とする画像入力システム。
【請求項７】
画像を読取る読取手段と、
被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報を前記記憶手段から読み出される特徴情報とを照合する照合手段と、
前記照合手段による照合結果に基き、前記読取手段に対する画像の入力動作を制御する制御手段とを具備し、
前記制御手段は、前記照合手段による照合結果が前記被認証者本人であるときのみ、前記読取手段の使用を許容すると共に、前記読取手段によって読取られた画像データに対して前記被認証者が指ごとに予め設定した所定の処理を施すことを特徴とする画像入力システム。
【請求項８】
画像を読取る読取手段を用いる画像入力方法であって、
被認証者の照合すべき指ごとの特徴情報を抽出するステップと、
抽出された前記被認証者の照合すべき指ごとの特徴情報を予め記憶するステップと、
前記特徴抽出手段で再度抽出された前記被認証者の照合すべき指ごとの特徴情報を前記予め記憶された特徴情報とを照合するステップと、
前記特徴情報の照合結果に基き、前記読取手段に対する画像の入力動作を制御するステップとを具備し、
前記入力動作を制御するステップは、前記照合手段による照合結果が前記被認証者本人であるときのみ、前記読取手段の使用を許容すると共に、前記読取手段によって読取られた画像データに対して前記被認証者が指ごと予め設定した所定のデータ保管部に保存することを指令することを特徴とする画像入力方法。
【請求項９】
画像を読取る読取手段を用いる画像入力方法であって、
被認証者の照合すべき指ごとの特徴情報を抽出するステップと、
抽出された前記被認証者の照合すべき指ごとの特徴情報を予め記憶するステップと、
前記特徴抽出手段で再度抽出された前記被認証者の照合すべき指ごとの特徴情報を前記予め記憶された特徴情報とを照合するステップと、
前記特徴情報の照合結果に基き、前記読取手段に対する画像の入力動作を制御するステップとを具備し、
前記入力動作を制御するステップは、前記照合の結果が前記被認証者本人であるときのみ、前記読取手段の使用を許容すると共に、前記読取手段によって読取られた画像データに対して前記被認証者が指ごとに予め設定した所定の処理を施すことを特徴とする画像入力方法。
【請求項１０】
画像を読取る読取手段と、
被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報を前記記憶手段から読み出される特徴情報とを照合する照合手段と、
前記照合手段による照合結果に基き、前記読取手段に対して前記被認証者が指ごとに予め設定したジョブを制御する制御手段とを具備し、
前記制御手段は、前記照合手段による照合結果が前記被認証者本人であるときのみ、前記読取手段の使用を許容すると共に、前記読取手段によって読取られた画像データに対して前記被認証者が指ごとに予め設定した所定のデータ保管部に保存することを指令することを特徴とする画像入力システム。
【請求項１１】
画像を読取る読取手段と、
被認証者の照合すべき指ごとの特徴情報を抽出する特徴抽出手段と、
前記特徴抽出手段で抽出された前記被認証者の照合すべき指ごとの特徴情報を予め記憶しておく記憶手段と、
前記特徴抽出手段で再度抽出された前記被認証者の照合すべき指ごとの特徴情報を前記記憶手段から読み出される特徴情報とを照合する照合手段と、
前記照合手段による照合結果に基き、前記読取手段に対して前記被認証者が指ごとに予め設定したジョブを制御する制御手段とを具備し、
前記制御手段は、前記照合手段による照合結果が前記被認証者本人であるときのみ、前記読取手段の使用を許容すると共に、前記読取手段によって読取られた画像データに対して前記被認証者が指ごとに予め設定した所定の処理を施すことを特徴とする画像入力システム。
【請求項１２】
画像を読取る読取手段を用いる画像入力方法であって、
被認証者の照合すべき指ごとの特徴情報を抽出するステップと、
抽出された前記被認証者の照合すべき指の特徴情報を予め記憶するステップと、
前記特徴抽出手段で再度抽出された前記被認証者の照合すべき指ごとの特徴情報を前記予め記憶された特徴情報とを照合するステップと、
前記特徴情報の照合結果に基き、前記読取手段に対して前記被認証者が指ごとに予め設定したジョブを制御するステップとを具備し、
前記ジョブを制御するステップは、前記照合の結果が前記被認証者本人であるときのみ、前記読取手段の使用を許容すると共に、前記読取手段によって読取られた画像データに対して前記被認証者が指ごとに予め設定した所定のデータ保管部に保存することを指令することを特徴とする画像入力方法。
【請求項１３】
画像を読取る読取手段を用いる画像入力方法であって、
被認証者の照合すべき指ごとの特徴情報を抽出するステップと、
抽出された前記被認証者の照合すべき指の特徴情報を予め記憶するステップと、
前記特徴抽出手段で再度抽出された前記被認証者の照合すべき指ごとの特徴情報を前記予め記憶された特徴情報とを照合するステップと、
前記特徴情報の照合結果に基き、前記読取手段に対して前記被認証者が指ごとに予め設定したジョブを制御するステップとを具備し、
前記ジョブを制御するステップは、前記照合の結果が前記被認証者本人であるときのみ、前記読取手段の使用を許容すると共に、前記読取手段によって読取られた画像データに対して前記被認証者が指ごとに予め設定した所定の処理を施すことを指令することを特徴とする画像入力方法。
【発明の詳細な説明】
【０００１】
【発明の属する技術分野】
この発明は、複数のユーザに共用されるスキャナからの入力画像をＬＡＮ（ローカルエリアネットワーク）を介して、ファイルサーバや各ユーザのパーソナルコンピュータへ送信する画像入力システムおよび画像入力方法に関する。
【０００２】
【従来の技術】
近年、複数のユーザに共用されるスキャナからの入力画像をＬＡＮ（ローカルエリアネットワーク）を介して、ファイルサーバやユーザのパーソナルコンピュータへ送信する画像入力システムが実用化されている。
【０００３】
このような画像入力システムにおいて、上記スキャナは複数のユーザが共有して使用するようになっているので、該スキャナに入力された画像情報がどのユーザが入力したものであるかを識別することが必要となる。
【０００４】
このために、従来では、例えば、次のような方法によって入力された画像情報がどのユーザが入力したものであるかを識別することが行われているが、それぞれに問題がある。
【０００５】
１）方法：入力された画像情報をとりあえず共有ディレクトリ（アクセス権：すべてのユーザ）に送信・保存し、その後各ユーザが端末を操作するなどして自分の入力した文書を共有ディレクトリから各自のディレクトリ（アクセス権：そのユーザのみ）に移動する。
【０００６】
問題：画像情報が共有ディレクトリにある間は他のユーザからもアクセス可能であるため、重要文書を扱うときなどにおいてセキュリティを確保することができない。
【０００７】
２）方法：スキャナの操作パネルからユーザＩＤを入力する、あるいはスキャナにカードリーダを設けユーザのＩＤカードを読取らせるなどの方法でユーザを識別し、予め設定した各自のディレクトリに送信・保存する。
【０００８】
問題：コントロールパネルやカードリーダで余分な操作が必要になる。
【０００９】
３）方法：ユーザＩＤや保存先ディレクトリを記入した指示シートを入力画像に添付して入力し、指示シートを解釈してユーザを識別する。
【００１０】
問題：毎回指示シートが必要になると共に、ＯＣＲなど指示シートを解釈する機能が必要になる、あるいは解釈エラーで誤動作することも考えられる。
【００１１】
したがって、複数のユーザが使用するスキャナで画像を入力するとき、ユーザに余分な操作を要求したりあるいはセキュリティを低下させることなく、各ユーザの設定に応じた適切な処理を実行できるものが要望されている
【００１２】
【発明が解決しようとする課題】
上記したように、複数のユーザが使用するスキャナで画像を入力するとき、ユーザに余分な操作を要求したりあるいはセキュリティを低下させることなく、各ユーザの設定に応じた適切な処理を実行できるものが要望されている。
【００１３】
そこで、本発明は、以上のような点に鑑みてなされたもので、複数のユーザに共用されるスキャナからの入力画像をＬＡＮ（ローカルエリアネットワーク）等を介してファイルサーバやユーザのパーソナルコンピュータ等へ送信する画像入力システムにおいて、複数のユーザが使用するスキャナで画像を入力するとき、ユーザに余分な操作を要求したりあるいはセキュリティを低下させることなく、各ユーザの設定に応じた適切な処理を実行できる画像入力システムおよび画像入力方法を提供することを目的とする。
【００１４】
【課題を解決するための手段】
本発明によると、画像を読取る読取装置と、この読取装置からの読取画像が通信回線を介して送信される端末とからなる画像入力システムにおいて、上記読取装置が、画像を読取る読取手段と、前記読取手段からの画像データを外部に出力する外部インターフェースと、指の長手方向と直交する方向に長い複数の線状電極を指の長手方向に沿って所定間隔で配列してなり、被認証者の照合すべき指を載置するための線状電極アレイと、この線状電極アレイの前記複数の線状電極を順次切換える切換手段と、前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、前記特徴抽出手段で抽出された前記被認証者の照合すべき指ごとの特徴情報を予め記憶しておく記憶手段と、前記特徴抽出手段で再度抽出された前記被認証者の照合すべき指ごとの特徴情報と前記記憶手段内の前記被認証者の照合すべき指ごとの特徴情報とを照合する照合手段と、前記照合手段の照合結果に基づいて前記被認証者が本人であるか他人であるかを判別する判別手段と、前記判別手段による判別結果に基づいて前記被認証者が本人であるときのみ前記読取手段の使用を許容すると共に、前記外部インターフェースを介して前記読取手段からの画像データを前記被認証者が指ごとに予め設定した所定のデータ保管部に送信して保存する制御手段と、を具備したことを特徴とする画像入力システムが提供される。
【００１５】
また、本発明によると、画像を読取る読取装置と、この読取装置からの読取画像が通信回線を介して送信される端末とからなる画像入力システムにおいて、上記読取装置が、画像を読取る読取手段と、前記読取手段からの画像データに対して施す処理を設定する設定手段と、指の長手方向と直交する方向に長い複数の線状電極を指の長手方向に沿って所定間隔で配列してなり、被認証者の照合すべき指を載置するための線状電極アレイと、この線状電極アレイの前記複数の線状電極を順次切換える切換手段と、前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、前記特徴抽出手段で抽出された前記被認証者の照合すべき指ごとの特徴情報を予め記憶しておく記憶手段と、前記特徴抽出手段で再度抽出された前記被認証者の照合すべき指ごとの特徴情報と前記記憶手段内の前記被認証者の照合すべき指ごとの特徴情報とを照合する照合手段と、前記照合手段の照合結果に基づいて前記被認証者が本人であるか他人であるかを判別する判別手段と、前記判別手段による判別結果に基づいて前記被認証者が本人であるときのみ前記読取手段の使用を許容すると共に、前記設定手段を介して前記被認証者が指ごとに予め設定した処理を前記読取手段からの画像データに対して施す制御手段と、を具備したことを特徴とする画像入力システムが提供される。
【００１６】
また、本発明によると、画像を読取る読取装置と、この読取装置からの読取画像が通信回線を介して送信される端末とからなる画像入力システムにおける画像入力方法であって、画像を読取るステップと、指の長手方向と直交する方向に長い複数の線状電極を指の長手方向に沿って所定間隔で配列された線状電極アレイに、被認証者の照合すべき指を載置するステップと、前記線状電極アレイの前記複数の線状電極を順次切換えるステップと、前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、前記抽出された前記被認証者の照合すべき指ごとの特徴情報を記憶手段内に予め記憶しておくステップと、再度抽出された前記被認証者の照合すべき指ごとの特徴情報と前記記憶手段内の前記被認証者の照合すべき指ごとの特徴情報とを照合するステップと、前記照合の結果に基づいて前記被認証者が本人であるか他人であるかを判別するステップと、前記判別の結果に基づいて前記被認証者が本人であるときのみ前記画像の読取りを許容すると共に、前記読取られた画像データを前記被認証者が指ごとに予め設定した所定のデータ保管部に送信して保存するステップと、を具備したことを特徴とする画像入力方法が提供される。
【００１７】
また、本発明によると、画像を読取る読取装置と、この読取装置からの読取画像が通信回線を介して送信される端末とからなる画像入力システムにおける画像入力方法であって、画像を読取るステップと、前記読取られた画像データに対して施す処理を予め設定するステップと、指の長手方向と直交する方向に長い複数の線状電極を指の長手方向に沿って所定間隔で配列された線状電極アレイに、被認証者の照合すべき指を載置するステップと、前記線状電極アレイの前記複数の線状電極を順次切換えるステップと、前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、前記抽出された前記被認証者の照合すべき指ごとの特徴情報を記憶手段内に予め記憶しておくステップと、再度抽出された前記被認証者の照合すべき指ごとの特徴情報と前記記憶手段内の前記被認証者の照合すべき指ごとの特徴情報とを照合するステップと、前記照合の結果に基づいて前記被認証者が本人であるか他人であるかを判別するステップと、前記判別の結果に基づいて前記被認証者が本人であるときのみ前記画像の読取りを許容すると共に、前記読取られた画像データに対して前記被認証者が指ごとに予め設定した処理を施すステップと、を具備したことを特徴とする画像入力方法が提供される。
【００１８】
また、本発明によると、画像を読取る読取装置と、この読取装置からの読取画像が通信回線を介して送信される端末とからなる画像入力システムにおいて、上記読取装置が、画像を読取る読取手段と、指の長手方向と直交する方向に長い複数の線状電極を指の長手方向に沿って所定間隔で配列してなり、被認証者の照合すべき指を載置するための線状電極アレイと、この線状電極アレイの前記複数の線状電極を順次切換える切換手段と、前記切換手段による前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出する特徴抽出手段と、前記特徴抽出手段で抽出された前記被認証者の照合すべき指ごとの特徴情報を予め記憶しておく記憶手段と、前記特徴抽出手段で再度抽出された前記被認証者の照合すべき指ごとの特徴情報と前記記憶手段内の前記被認証者の照合すべき指ごとの特徴情報とを照合する照合手段と、前記照合手段の照合結果に基づいて前記被認証者が本人であるか他人であるかを判別する判別手段と、前記判別手段による判別結果に基づいて前記被認証者が本人であるときのみ前記読取手段の使用を許容すると共に、前記読取手段からの画像データを前記被認証者が指ごとに予め設定した所定のデータ保管部に送信して保存する制御手段と、を具備したことを特徴とする画像入力システムが提供される。
【００１９】
また、本発明によると、画像を読取る読取手段と、被認証者の照合すべき指ごとの特徴情報を抽出する特徴抽出手段と、前記特徴抽出手段で抽出された前記被認証者の照合すべき指ごとの特徴情報を予め記憶しておく記憶手段と、前記特徴抽出手段で再度抽出された前記被認証者の照合すべき指ごとの特徴情報を前記記憶手段から読み出される特徴情報とを照合する照合手段と、前記照合手段による照合結果に基き、前記読取手段に対する画像の入力動作を制御する制御手段とを具備し、前記制御手段は、前記照合手段による照合結果が前記被認証者本人であるときのみ、前記読取手段の使用を許容すると共に、前記読取手段によって読取られた画像データに対して前記被認証者が指ごとに予め設定した所定のデータ保管部に送信して保存することを特徴とする画像入力システムが提供される。
【００２０】
また、本発明によると、画像を読取る読取手段と、被認証者の照合すべき指ごとの特徴情報を抽出する特徴抽出手段と、前記特徴抽出手段で抽出された前記被認証者の照合すべき指ごとの特徴情報を予め記憶しておく記憶手段と、前記特徴抽出手段で再度抽出された前記被認証者の照合すべき指ごとの特徴情報を前記記憶手段から読み出される特徴情報とを照合する照合手段と、前記照合手段による照合結果に基き、前記読取手段に対する画像の入力動作を制御する制御手段とを具備し、前記制御手段は、前記照合手段による照合結果が前記被認証者本人であるときのみ、前記読取手段の使用を許容すると共に、前記読取手段によって読取られた画像データに対して前記被認証者が指ごとに予め設定した所定の処理を施すことを特徴とする画像入力システムが提供される。
【００２１】
また、本発明によると、画像を読取る読取装置と、この読取装置からの読取画像が通信回線を介して送信される端末とからなる画像入力システムにおける画像入力方法であって、画像を読取るステップと、前記読取られた画像データに対して施す処理を設定するステップと、指の長手方向と直交する方向に長い複数の線状電極を指の長手方向に沿って所定間隔で配列された線状電極アレイに、被認証者の照合すべき指を載置するステップと、前記線状電極アレイの前記複数の線状電極を順次切換えるステップと、前記線状電極アレイの各線状電極の切換動作に基づき、前記線状電極アレイの各隣接線状電極間の抵抗値を前記指の長手方向に順次読取ることにより、その抵抗値の分布状態から前記指の特徴情報を抽出するステップと、前記抽出された被照合用の指の特徴情報を記憶手段内に予め記憶しておくステップと、前記特徴抽出手段で抽出された特徴情報と前記記憶手段内の特徴情報とを照合するステップと、前記照合の結果に基づいて前記被認証者が本人であるか他人であるかを判別するステップと、前記判別の結果に基づいて前記被認証者が本人であるときのみ前記画像の読取りを許容すると共に、前記読取られた画像データに前記被認証者が予め設定した所定のジョブを施すステップと、を具備したことを特徴とする画像入力方法が提供される。
【００２２】
また、本発明によると、画像を読取る読取装置と、この読取装置からの読取画像が通信回線を介して送信される端末とからなる画像入力システムにおける画像入力方法であって、画像を読取るステップと、指の長手方向と直交する方向に長い複数の線状電極を指の長手方向に沿って所定間隔で配列された線状電極アレイに、被認証者の照合すべき指を載置するステップと、前記線状電極アレイの前記複数の線状電極を順次切換えるステップと、前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、前記抽出された前記被認証者の照合すべき指ごとの特徴情報を記憶手段内に予め記憶しておくステップと、再度抽出された前記被認証者の照合すべき指ごとの特徴情報と前記記憶手段内の前記被認証者の照合すべき指ごとの特徴情報とを照合するステップと、前記照合の結果に基づいて前記被認証者が本人であるか他人であるかを判別するステップと、前記判別の結果に基づいて前記被認証者が本人であるときのみ前記画像の読取りを許容すると共に、前記読取られた画像データを前記被認証者が指ごとに予め設定した所定のデータ保管部に送信して保存するステップと、を具備したことを特徴とする画像入力方法が提供される。
【００２３】
また、本発明によると、画像を読取る読取装置と、この読取装置からの読取画像が通信回線を介して送信される端末とからなる画像入力システムにおける画像入力方法であって、画像を読取るステップと、前記読取られた画像データに対して施す処理を設定するステップと、指の長手方向と直交する方向に長い複数の線状電極を指の長手方向に沿って所定間隔で配列された線状電極アレイに、被認証者の照合すべき指を載置するステップと、前記線状電極アレイの前記複数の線状電極を順次切換えるステップと、前記線状電極アレイの各線状電極の切換動作に基づき、前記線状電極アレイの各隣接線状電極間の抵抗値を前記指の長手方向に順次読取ることにより、その抵抗値の分布状態から前記被認証者の照合すべき指ごとの特徴情報を抽出するステップと、前記抽出された前記被認証者の照合すべき指ごとの特徴情報を記憶手段内に予め記憶しておくステップと、再度抽出された前記被認証者の照合すべき指ごとの特徴情報と前記記憶手段内の前記被認証者の照合すべき指ごとの特徴情報とを照合するステップと、前記照合の結果に基づいて前記被認証者が本人であるか他人であるかを判別するステップと、前記判別の結果に基づいて前記被認証者が本人であるときのみ前記画像の読取りを許容すると共に、前記被認証者が指ごとに予め設定した処理を前記読取られた画像データに対して施すステップと、を具備したことを特徴とする画像入力方法が提供される。
【００２４】
【発明の実施の形態】
以下、この発明の実施形態について図面を参照して説明する。
【００２５】
図１は、この発明の第１の実施形態が適用される画像入力システムを説明するための図である。
【００２６】
この画像入力システムは、スキャナ部１００と、このスキャナ部１００とＬＡＮ（通信回線）１０２を介して接続されているファイルサーバ１０３、１０４、複数台のパーソナルコンピュータ１０５、１０６、…及び画像入力ジョブサーバ１０７とから構成されている。
【００２７】
ここで、ファイルサーバ１０３、１０４は、各ユーザ独自のデータあるいはユーザ共有のデータを格納するものである。
【００２８】
また、パーソナルコンピュータ１０５、１０６、…は、各ユーザが個人的に使用しているものである。
【００２９】
また、画像入力ジョブサーバ１０７は、画像入力ジョブとしてのフォーマット付きＯＣＲ１０７ａ、Ｅメールリーダ１０７ｂ、ＦＡＸリーダ１０７ｃ及びワークフロー１０７ｄとを有している。
【００３０】
なお、この画像入力ジョブサーバ１０７は、スキャナ部１００内に設けられるようにしてもよい。
【００３１】
そして、スキャナ部１００には指照合部１１１があり、この指照合部１１１の指タッチ部（パターン入力部）は、後述するように操作パネル１１３に設けられるスキャナ動作のスタートボタン１１３ｂと一体となっている。
【００３２】
ユーザは画像を入力すべき原稿をスキャナ部１００の読取部１１５にセットしてスタートボタン１１３ｂを押すことにより、ユーザ認証処理が行われる。
【００３３】
この認証結果に基づいて原稿の読取り内容は、ＬＡＮ１０２を介してファイルサーバ１０３、１０４やパーソナルコンピュータ１０５、１０６、…に送信される。
【００３４】
すなわち、スキャナ部１００は、スキャナ部１００全体を制御する制御部１１０が設けられている。
【００３５】
この制御部１１０には、上記したような指照合によりユーザ認証処理を行う指照合部１１１、制御プログラムが記憶されていると共に種々のテーブルを有するメモリ部１１２、種々の操作案内を行う表示部（コントロールパネルとも称するものとする）１１３ａ、スタートボタン１１３ｂ等を有し、タッチパネルなどからなる操作パネル１１３、スピーカなどからなる電子音を発する音源部１１４、原稿画像のイメージデータを読取る読取部１１５、画像情報をテキスト情報に変換するイメージ−コード変換部（ＯＣＲ）１１６、読取部１１５により読取ったイメージデータを格納する画像メモリ１１７、及びＬＡＮ１０２を介してフアイルサーバ１０３、１０４やパーソナルコンピュータ１０５、１０６、…に対してデータを出力するＬＡＮインタフェース１１８とが接続されている。
【００３６】
次に、図２及び図３を参照してスキャナ部１００及び操作パネル（コントロールパネル）１１３の具体例について説明する。
【００３７】
図２は、この発明に係る画像入力システムに適用されるスキャナ部１００の全体構成を概略的に示すものである。
【００３８】
このスキャナ部１００は、上部に自動原稿送り装置（ＡＤＦ）４が装着されている。
【００３９】
この自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。
【００４０】
前記カバー本体２１の上面やや右方向部位には、複数枚の原稿を一括保持し得る原稿給紙台２２が設けられている。
【００４１】
自動原稿送り装置４の一端側には、原稿を順次一枚ずつ取出し原稿台５の一端側（図中左端側）に供給する給送手段２３が設けられている。
【００４２】
この給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。
【００４３】
さらに、ピックアップローラ２７の原稿取出し方向には、給紙ローラ３２が配置され、確実に原稿が一枚ずつ給送されるようになっている。
【００４４】
原稿台５の上面には、これを覆う原稿搬送ベルト３７が張設されている。
【００４５】
原稿搬送ベルト３７は、一対のベルトローラ４０、４０に掛渡された外表面が白色の幅広無端ベルトからなり、ベルト駆動機構（図示しない）によって正逆両方向に走行し得る構成となっている。
【００４６】
また、原稿搬送ベルト３７の内周部の裏面側には、ベルト面を原稿台５上に押さえ付けるための複数のベルト押えローラ４１…および自動原稿送り装置の開閉状態を検知するセットスイッチ（図示せず）が設けられている。
【００４７】
そして、前記給送手段２３によって給送された原稿を、原稿台５の一端側（左端側）から他端側（右端側）に搬送する。
【００４８】
自動原稿送り装置４の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。
【００４９】
原稿排出路の下流側には、排紙ローラ４８が配設されている。
【００５０】
また、原稿排出路には、原稿を表裏逆にして原稿台５に導くためにゲート４９が設けられ、原稿の両面スキャンを可能としている。
【００５１】
スキャナ部１００は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、およびＣＣＤセンサ１１の出力つまり画像データ（情報）をアナログデータからデジタルデータに変換するＡ／Ｄ変換部（図示せず）により図１の読取部１１５として構成されている。
【００５２】
上記第１、第２キャリッジ７、９は、互いにタイミングベルト（図示しない）で結ばれており、第２キャリッジ９は第１キャリッジ７の１／２の速さで同じ方向に移動するようになっている。
【００５３】
これにより、レンズ１０までの光路長が一定になるように走査できるようになっている。上記レンズ１０は、焦点距離固定で、変倍時に光軸方向へ移動されるようになっている。
【００５４】
ＣＣＤセンサ１１は、原稿の１画素がＣＣＤセンサの１つの素子に対応している。
【００５５】
このＣＣＤセンサ１１の出力はＡ／Ｄ変換部（図示せず）へ出力されるようになっている。
【００５６】
第１、第２キャリッジ７、９、ミラー１２ａ、１２ｂの移動は、それぞれステッピングモータ（図示しない）により行われるようになっている。
【００５７】
上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。
【００５８】
上記レンズ１０は、対応するステッピングモータ（図示しない）によりスパイラルシャフト（図示しない）が回転し、このスパイラルの動きによって光軸方向へ移動されるようになっている。
【００５９】
図３は、操作手段としての操作パネル（コントロールパネル）１１３の具体例を示している。
【００６０】
すなわち、操作パネル１１３は、ＨＥＬＰキー８７、自動倍率選択キー８９、ズーム／１００％キー９０、原稿サイズキー９２、表示パネル（メッセージ表示器またはコントロールパネルとも称するものとする）１１３ａ、自動解像度キー９４、マニュアル解像度キー９５、割り込みキー９７、オールクリアキー９８、クリア／ストップキー９９、スキャン（スタート）キー１１３ｂ、テンキー８５、及び機能切り替えキー１２０とから構成されている。
【００６１】
表示パネル１１３ａは、各種の絵文字が点滅・表示され、スキャナ部１００の状態を表わすためのものである。
【００６２】
ＨＥＬＰキー８７は、操作ガイドキーとして押下されると、操作手順を示すメッセージが表示パネル１１３ａに表示され、機能設定後に押すと設定内容を確認することができる。
【００６３】
自動原稿サイズ検出キー８８は、通常自動原稿サイズ検出モードになっており、原稿台（ガラス）５上にセットされた原稿のサイズを自動的に検出する（等倍スキャンのみ）。
【００６４】
ズーム／１００％キー９０は、「２５％＜」キーを押すと、スキャン倍率は１％きざみで２５％まで小さくなる。
【００６５】
「＞８００％」キーを押すと、スキャン倍率は１％きざみで８００％まで大きくなる。
【００６６】
「１００％」キーを押すと等倍スキャン（１００％）に戻る。
【００６７】
原稿サイズキー９１は、原稿サイズをセットするときに使用する。
【００６８】
表示パネル（メッセージ表示器）１１３ａは、スキャナ部１００の状態、操作手順およびユーザに対する各種の指示を文字と絵で表示する。
【００６９】
表示手段としての表示パネル（メッセージ表示器）１１３ａは、タッチパネルを内蔵し、機能の設定も行うことができる。
【００７０】
自動解像度キー９４は、このキーを押して自動解像度モードを選択すると、スキャナ部１００が自動的に原稿の濃淡を検出してスキャン時の最適解像度を選択する。
【００７１】
マニュアル解像度キー９５は、このキーを押してマニュアル解像度モードを選択すると、希望するスキャン時の解像度を選ぶことができる。
【００７２】
すなわち、マニュアル解像度キー９５の「低く」キーを押してスキャン時の解像度を５段階で低くすることができると共に、「高く」キーを押してスキャン時の解像度を５段階で高くすることができる。
【００７３】
予熱キー９６は、このキーを押すと、スキャナ部１００が予熱（節電）状態に入りすべての表示ランプが消える。
【００７４】
スキャナ部１００を再びスキャン可能モードとするときには、もう一度このキーを押す。
【００７５】
割り込みキー９７は、連続スキャン動作の途中で、割り込みスキャンを行うときに使用される。
【００７６】
オールクリアキー９８は、このキーを押すと、選択したモードがすべてクリアされ、標準状態に戻る。
【００７７】
クリア／ストップキー９９は、スキャン回数を訂正するとき、またはスキャン動作を停止させるときに使用する。
【００７８】
スタートキー１１３ｂは、スキャン動作を開始するときに押されると共に、このスキャナ部１００を使用する複数のユーザの指照合のために、予め各ユーザの指認識情報を登録するときにも押される。
【００７９】
また、このスタートキー１１３ｂ上には、後述する指照合部１１５ａが設けられている。
【００８０】
なお、この指照合部１１５ａは、スタートキー１１３ｂ上のみでなく、操作パネル１１３上の他の位置に指照合部１１５ｂを設けるようにしてもよい。
【００８１】
タイマキー１０３は、このキーを押すと、毎日、何時にスキャナ部１００の電源がオン、オフするかが表示パネル（メッセージ表示器）１１３ａに表示される（ウイークリータイマが設定されている場合）。
【００８２】
テンキー１０５は、スキャン回数をセットするときに使用するもので、スキャン回数を１〜９９９までセットすることができる。
【００８３】
機能切り替えキー１２０は、スキャナ部１００が備えた通常のスキャン機能と、各ユーザの指認識情報の登録機能等の機能を切り替えるキーである。
【００８４】
次に、指照合部１１５について説明する。
【００８５】
この発明で採用する指照合部１１５は、図４に示すように、前述したスキャン（スタート）キー１１３ｂの表面部にユーザの指４０２の長手方向と直交する方向に長い複数の線状電極４０１を指の長手方向に配列し、指４０２を押しつけたときの隣り合う電極４０１間の抵抗値を指４０２の長手方向に順次読み取り合成した信号を用いる。
【００８６】
すなわち、図４中、４０１は線状電極アレイで、電極間隔は１／１０（ｍｍ程度とする。
【００８７】
電極４０１の数すなわち電極アレイ４０１の長手方向の長さは、通常、指４０２の先端から第２関節部分を完全に含む長さとする。
【００８８】
電極４０１に信号検出すべき指４０２を電極配列方向に対して直交方向に押しつける。
【００８９】
このときの隣り合うあう電極４０１間の指４０２表面の抵抗値を指４０２の長さ方向にアナログスイッチ４０４を切り替えて順次読み取る。
【００９０】
ｎ個の電極４０１に対して指４０２を押しつけたとき、隣接する接触子としての電極４０１間で接触する指４０２の接触面積に応じて電極４０１間の抵抗値が化する。
【００９１】
このときのｉ番目の電極４０１間抵抗値をＲ（ｉ）とすると共に、隣接する２つの電極４０１間に図示の如く基準抵抗（Ｒｒｅｒ）４０５と一定電圧Ｖｏの電源４０６をアナログスイッチ４０６を介して接続する。
【００９２】
このときの基準抵抗（Ｒｒｅｆ）４０５の両端の電位差Ｖ（１）は次式で与えられる。
【００９３】
Ｖ（ｉ）＝Ｒｒｅｆ・Ｖｏ／（Ｒｒｅｆ＋Ｒ（ｉ））          …（１）
そして、アナログスイッチ４０４を切り替えて、この電位差を指４０２の長さ方向に順次読み取り、サンプルホールド（Ｓ／Ｈ）回路４０７を通してアナログ／デジタル（Ａ／Ｄ）変換器４０８によつてデジタル信号に変換する。
【００９４】
タイミングパルス発生器４０９は、図１に示した制御部１１１からの制御信号に基づいてアナログスイッチ４０４の切換及び、サンプルホールド回路４０７のサンプルタイミングを制御する信号を生成する。
【００９５】
その信号は、例えば、図５に示すように、信号の立ち下がりでアナログスイッチ４０４を切り替え、立ち上がりでサンプルホード回路４０７で式（１）の電位差Ｖ（ｉ）をホールドする。
【００９６】
このようにして得られた信号Ｖ（ｉ）は、例えば、図６に示すように、指４０２と電極４０１の接触面積が広い部分ではＶ（ｉ）は大きな値を持ち、第１関節部分及び第２関節部分にある横皺では接触面積が狭くなるためにＶ（１）は小さな値を持つため、その部分でＶ（ｉ）は急峻なディップを持つ。
【００９７】
以下、このＶ（ｉ）を投影信号と呼ぶ。
【００９８】
図７は、指照合部１１５に含まれるれ個人認証装置の構成を示すものである。
この個人認証装置は、前述したような原理に基づいて指４０２と電極４０１との接触面積の違いにより指４０２全体の１次元パターンＶ（ｉ）を取り込むパターン入力部４１０と、後述する照合、登録などの認証処理を行う指照合制御部４１１と、登録部４１３に被認証者各人の投影信号を書き込む共に、登録部４１３からそれらの投影信号をよみ出すための読取書込み部４１２とから構成されている。
【００９９】
図１に示した制御部１１０は、指照合制御部４１１からの認証結果に基づいて前述したように、スキャナ部１００に対するユーザの使用を予め登録されたユーザのみに許可するように制御する。
【０１００】
さて、前述した登録部４１３は、図８に示すように、制御部としての制御素子（例えば、ＣＰＵ）４２１と、記憶内容が消去可能な不揮発性のデータメモリ４２２と、ワーキングメモリ４２３と、プログラムメモリ４２４、及び図７の読取書込み部４１３との電気的接触を得るためのコンタクト部４２５とによって構成されている。
【０１０１】
これらのうち破線内の部分（制御素子４２１、データメモリ４２２、ワーキングメモリ４２３及びプログラムメモリ４２４）は、１つ（あるいは複数）のＩＣチップで構成されて登録部４１３の本体内に埋設されている。
【０１０２】
データメモリ４２２は、各種データの記憶に使用され、例えばＥＥＰＲＯＭ等で構成されている。
【０１０３】
また、プログうムメモリ４２４は、例えばマスクＲＯＭで構成されており、制御素子１１１のプログラムなどを記憶するものである。
【０１０４】
データメモリ４２２は、例えば、図９の（ａ）に示すように、制御領域４２２−０）、ディレクトリ４２２−１、空き領域４２２−２、及び複数のエリア群４２２−３に分割されいる。
【０１０５】
また、それぞれのエリアは、ディレクトリ４２２−１にて管理されるようになされている。
【０１０６】
このディレクトリは、図９の（ｂ）に示すように、各エリアのエリア番号４３１、エリアの先頭アドレス４３２、サイズ４３３、チェックコード４３４からなるエリア定義情報の集合体として構成される。
【０１０７】
例えば、エリア（０１）の先頭アドレス４３２は、ａａａ番地、エリアのサイズはＳａバイトであるというように対応する。
【０１０８】
さて、これらのエリアに対してのアクセスコマンドとして書込みコマンドは、図１０に示すように、書込みコマンドを示す機能コード、アクセス対象となるエリアの番号、及び書込みデータとで構成される。
【０１０９】
次に、図１１により、登録部４１３の動作概念を説明する。
【０１１０】
図１１に示すように、登録部４１３は電気的活性化後に、コマンド待ち状態に移る（ステップＳ１０１）。
【０１１１】
この時点で、登録部４１３はコマンドを待ち続け、コマンドが入力されると、コマンド内にあるエリア番号を抽出し、デイレクトリ内に該当するエリア番号が存在するか否かをチェックする（ステップＳ１０２、Ｓ１０３）。
【０１１２】
このサーチにより、登録部４１３は、デイレクトリ内に該当するエリア番号が存在しなければ、該当エリア無しを示すコードを出力し（ステップＳ１０４）、コマンド待ち状態に戻る。
【０１１３】
そして、登録部４１３は、デイレクトリ内に該当するエリア番号が存在すれば、この後入力したコマンド中の機能コードに該当する各コマンドルーチンにて処理を行って、この処理結果を出力後、命令データ待ち状態に戻る。
【０１１４】
次に、指照合部１１５に含まれるれ個人認証装置での処理の流れについて説明する。
【０１１５】
すなわち、この個人認証装置での処理は、大きく分けて「登録」と「照合」の２つがある。
【０１１６】
まず、登録について述べるものとする。
【０１１７】
＜登録＞  登録の処理の流れを図１２に示す。
【０１１８】
図１２に示すように、まず、指照合制御部４１１は、パターン入力部４１０を介して投影信号Ｖ（ｉ）を取り込む（ステップＳ２０１）。
【０１１９】
次に、指照合制御部４１１は、ステップＳ２０１で取り込んだ投影信号Ｖ（ｉ）を辞書信号（特徴量抽出信号）Ｖｄ（ｉ）として読取書込み部４１２を介して登録部４１３に登録する（ステップＳ２０２）。
【０１２０】
以上で登録の処理は終了である。
【０１２１】
＜照合＞  照合の処理の流れを図１３に示す。
【０１２２】
図１３に示すように、まず、指照合制御部４１１は、パターン入力部４１０を介して投影信号Ｖ（ｉ）を再度取り込む（ステップＳ２０３）。
【０１２３】
次に、指照合制御部４１１は、ステップＳ２０２で登録した辞書信号Ｖｄ（ｉ）ステップＳ２０３で取り込んだ投影信号Ｖ（ｉ）との照合計算を行う（ステップＳ２０４）。
【０１２４】
この照合は、次の手順で相違度Ｅを計算することにより実行される。
【０１２５】
まず、登録部４１３から読みだした投影信号を辞書信号Ｖｄ（ｉ）と、入力された指画像より求めた投影信号Ｖ（ｉ）との位置合わせを行う。
【０１２６】
Ｖｄ（ｉ）とｍだけずらしたＶ（ｉ＋ｍ）との２乗誤差をある範囲にわたって和算したものをＳ（ｍ）とすると、このＳ（ｍ）は、次のように表される。
【０１２７】
ｍ≧Ｏのとき
0004005165.tif 000002
ｍ＜Ｏのとき
0004005165.tif 000003
但し、Ｎ：Ｖ（ｉ）の要素の数
このように表されるＳ（ｍ）はＶ（ｉ＋ｍ）とＶｋ（ｉ）との一致度を表わすパラメータであり、Ｓ（ｍ）の値が小さいほどＶ（ｉ＋ｍ）とＶｋ（ｉ）との一致度が高いことを示している。
【０１２８】
位置合わせはｍをある範囲で変化させ、最もＳ（ｍ）の値が小さくなるときのＭを位置ずれ量と呼ぶものとし、このＭのところで位置合わせができたものとする。
【０１２９】
続いて、次の式（４）、（５）を用いて相違度Ｅを計算する．
Ｍ≧Ｏのとき
0004005165.tif 000004
Ｍ＜Ｏのとき
0004005165.tif 000005
但し、Ｎ：Ｖ（ｉ）の要素の数
これらの式（４）、（５）のＥは位置合わせされた入力信号Ｖ（ｉ＋Ｍ）と辞書信号Ｖｄ（ｉ）の２乗誤差をある範囲にわたって和算したものを同じ範囲の辞書信号Ｖｄ（ｉ）の２乗和で正規化したものである。
【０１３０】
このＥは位置合わせされた入力信号Ｖ（ｉ＋Ｍ）と辞書信号Ｖｄ（ｉ）の相違度を表したもので、Ｅの値が大きいほど両信号の違いが大きく、Ｅの値が小さいほど両信号が似ていることを示している。
【０１３１】
次に、指照合制御部４１１は、ステップＳ２０４で算出された相違度Ｅを予め定めておいた閾値ＴＨと比較（ステップＳ２０５）し、Ｅ≦ＴＨならば、予め登録されたユーザ本人と判断して処理を終了する（ステップＳ２０６）。
【０１３２】
また、指照合制御部４１１は、ステップＳ２０５において、Ｅ≦ＴＨでないならば、予め登録されたユーザ本人でなく他人であると判断して処理を終了する  （ステップＳ２０７）。
【０１３３】
以上の照合の処理が終わった後に、指照合制御部４１１は、この本人／他人判断結果を制御部１１０に送出する。
【０１３４】
制御部１１０では、指照合制御部４１１からの判断結果に応じた処理、すなわち、ユーザ本人であると判断された場合には、スキャナ部１００の使用を許容すると共に、他人であると判断された場合には音源部１１４により警報ブザーを鳴らすなどの処理を行なう。
【０１３５】
次に、以上説明したような個人認証装置を含む指照合部１１５を備えたスキャナ部１００における画像入力動作について、図１４に示す動作フローチャートを参照して説明する。
【０１３６】
まず、スキャナ部１００本体に電源が投じられ、スキャナ部１００はユーザ待ちモードとなる（ステップＳ３０１）。
【０１３７】
このとき、ユーザが原稿をスキャナ部１００にセットし、指照合部１１５のパターン入力部４１０と一体となっているスタートボタン１１３ｂを押す（ステップＳ３０２）と、指照合部１１５により上述したような認証処理が行われる（ステップＳ３０３）。
【０１３８】
認証処理の結果、ユーザを認証できないときには、認証ＮＧである旨の案内がコントロールパネル１１３ａに例えば、「認証エラーです。正しい指を使用してください。」のように案内表示されるとともに、「ピピピッ」などの電子音が音源部１１４から発せられる（ステップＳ３０４）。
【０１３９】
ユーザを認証できたときは、認証ＯＫである旨の案内およびユーザの氏名などがコントロールパネル１１３ａに、例えば、「認証されました。ユーザＩＤ：９２１０００１、ユーザ名：開発部  鈴木  太郎」のように案内表示されると共に、「ピッ」などの電子音が音源部１１４から発せられる（ステップＳ３０５）。
【０１４０】
これらの表示例を図１５の（ｂ）、（ｃ）に示す。
【０１４１】
認証０Ｋの場合は、引続き画像入力処理が行われ、一連の処理が終了する（ステップＳ３０６）。
【０１４２】
次に、以上説明したような個人認証装置を含む指照合部１１５を備えたスキャナ部１００における画像入力処理について、図１６に示す動作フローチャートを参照して説明する。
【０１４３】
まず、スキャナ部１００における制御部１１０は、読取部１１５で読取った画像情報を画像メモリ１１７に格納する（ステップＳ３１１）。
【０１４４】
続いて、制御部１１０は、指照合部１１５からユーザＩＤを得、このユーザＩＤを用いてユーザ設定ファイルを検索することにより、該当するユーザに設定されたファイルの保存先ディレクトリを得る（ステップＳ３１２）。
【０１４５】
続いて、制御部１１０は、必要があれば画像情報にへッダを付加し、設定された（図示していないが、ユーザ設定ファイル中に記述されている）ファイルフォーマットの形式にすると共に、このファイルをＬＡＮインターフェース（Ｉ／Ｆ）１１８経由で設定された保存先ディレクトリのあるファイルサーバ１０３、１０４またはパーソナルコンピュータ１０５、１０６に送信することにより、送信先のファイルサーバ１０３、１０４またはパーソナルコンピュータ１０５、１０６に設定されたディレクトリにそのファイルを保存する。
【０１４６】
例えば、図１５の（ａ）に示すようなユーザ設定フアイルの中の氏名「鈴木  太郎」さんの場合、ユーザ設定フアイルから、保存先はパーソコンピュータ￥￥ｐｃ ｓｕｚｕｋｉの中のディレクトリ￥ｄｏｃ￥ｔｅｘｔであることがわかるので、スキャナ部１１０は、パーソナルコンピュータ￥￥ｐｃ ｓｕｚｕｋｉと交信してそのファイルを送信し、パーソナルコンピュータ￥￥ｐｃ ｓｕｚｕｋｉは受信したファイルをディレクトリ￥ｄｏｃ￥ｔｅｘｔに格納する。
【０１４７】
次に、この発明の第２の実施の形態による画像入力システムについて、図１７を参照して説明する。
【０１４８】
この第２の実施の形態による画像入力システムのシステム構成自体は、上述した第１の実施の形態による画像入力システムと同様である。
【０１４９】
すなわち、この発明では、他の認証方式と異なり、指照合を認証に用いることで、あるユーザが指ごとに異なる動作を行わせるこができる。
【０１５０】
そこで、図１７に示すようにユーザの各指に対して異なる保存先を指定できるようにする。
【０１５１】
図１７では、第２指にユーザＰＣの文書ディレクトリ、第３指にファルサーバ１０３のユーザディレクトリ、第４指にファイルサーバ１０４のユーザディレクトリ、第５指にファイルバサーバ１０３の課内共有ディレクトリを割当てた場合を示している。
【０１５２】
このときのユーザ設定フアイルの例を図１８に示すと共に、動作フローを図１９に示す。
【０１５３】
上述した第１の実施の形態では、各ユーザごとに一箇所の保存先ディレクトリが設定されているだけであったが、この第２の実施の形態では図１８に示すようにユーザの各指に対応する保存先ディレクトリを指定することができるようになっている。
【０１５４】
図１８に示すユーザ設定フアイルの保存先ディレトリで２：としてあるものが第２指を使用したときの保存先ディレクトリであり、以下３：、４：、５：は同様に第３指、第４指、第５指を使用したときの保存先ディレクトリである。
【０１５５】
この場合の動作は、図１９に示すように、スキャナ部１００における制御部１１０は、読取部１１５で読取った画像情報を画像メモリ１１７に格納する（ステップＳ３１１´）。
【０１５６】
続いて、制御部１１０は、指照合部１１５からのユーザＩＤと、どの指を使用したかの情報を得、このユーザＩＤと、どの指を使用したかの情報からユーザ設定ファイルを検索することにより、ユーザおよび指に対応する保存先ディレクトリを得る（ステップＳ３１２´）。
【０１５７】
以下の処理は図１４に示した処理と同じである（ステップＳ３１３、Ｓ３１４、Ｓ３１５）。
【０１５８】
次に、この発明の第３の実施の形態による画像入力システムについて、図２０及び図２１を参照して説明する。
【０１５９】
この第３の実施の形態による画像入力システムのシステム構成自体は、上述した第１の実施の形態による画像入力システムと同様である。
【０１６０】
すなわち、この第３の実施の形態では、原稿の画像をイメージファイルとして保存するだけでなく、いろいろな画像入力ジョブを施すものである。
【０１６１】
この第３の実施の形態で用いるユーザ設定ファイルの例を図２０に示すと共に、動作フローを図２１に示す。
【０１６２】
図２０において、ジョブの中のｓｃｎは画像をイメージファイルに変換する処理を示しており、ｏｃｒはイメージファイルを解釈し単純なテキストファイルに変換するＯＣＲの処理、ｍａｉｌ ｒｅａｄｅｒは宛先と本文からなる電子メールの原稿を読取り、宛先と本文をテキスト化し、本文を宛先にメール送信する処理を示している。
【０１６３】
図２１の動作フローにおいて、まず、スキャナ部１００における制御部１１０は、読取部１１５で読取った画像情報を画像メモリ１１７に格納する（ステップＳ３２１）。
【０１６４】
続いて、制御部１１０は、指照合部１１５からユーザＩＤを得、このユーザＩＤを用いてユーザ設定ファイルを検索することにより、該当するユーザの画像入力ジョブを得る（ステップＳ３２２）。
【０１６５】
続いて、制御部１１０は、その画像入力ジョブを起動し、画像メモリ１１７内の画像をそのジョブの入力として処理する（ステップＳ３２３）。
【０１６６】
この場合のコンロールパネル１１３ａの表示例を図２２に示す。
【０１６７】
なお、図１に示した画像入力システムのシステム構成では、ＯＣＲ、Ｅメール、ＦＡＸ等のジョブに対応する処理は画像入力サーバ１０７に搭載されている。
【０１６８】
次に、この発明の第４の実施の形態を図２３を用いて説明する。
【０１６９】
この発明の第４の実施の形態では、上述した第２の実施の形態のように、指照合を認証に用いることにより、あるユーザが指ごとに異なる動作を行わせることができるようにしている。
【０１７０】
そこで、各指に対して異なる画像入力ジョブを指定して示したものが図２３である。
【０１７１】
ここでは、第２指に、「一般文書を原稿とし、ＯＣＲにかけて単純な（フオーマット情報のない）テキストフアイル化する処理」を、第３指に、「一般文書を原塙とし、ＯＣＲにかけ、さらにフォーマット情報も読取りワードプロセッサファイル化する処理」を、第４指に、「メール文書を原稿とし、宛先アドレスと本文をＯＣＲで読取り送信する処理」を、第５指に、「Ｆａｘ文書を原稿とし、宛先電話番号をＯＣＲで読取り内容をイメージで送信する処理」をそれぞれ指定させるようにしている。
【０１７２】
この第４の実施の形態で用いるユーザ設定フアイルの例を図２４に、動作フローを図２５に示す。
【０１７３】
そして、図２４に示したユーザ設定ファイルの中のジョブ指定の記号の意味は、図２０に示した第３の実施の形態で用いるユーザ設定ファイルの例の場合と同様である。
【０１７４】
この場合の画像入力ジョブの例を以下に示す。
【０１７５】
例えば、図２４に示したユーザ設定ファイルの中の氏名「鈴木  太郎」さんの第２指の場合の画像入力ジョブは、次に示すようになる。
【０１７６】
（１）画像をメモリに入力する。
【０１７７】
（２）メモリ上の画像をＯＣＲの入力とし、出力ファイル（テキスト）を￥￥ｐｃ＿ｓｕｚｕｋｉに送信する。
【０１７８】
（３）￥￥ｐｃ−ｓｕｚｕｋｉ（パーソナルコンピュータ）で￥ｄｏｃ￥文書１．ｔｘｔとして保存する。
【０１７９】
同じく、図２４に示したユーザ設定ファイルの中の氏名「鈴木  太郎」さんの第３指の場合の画像入力ジョブは、次に示すようになる。
【０１８０】
（１）画像をメモリに入力する。
【０１８１】
（２）メモリ上の画像をフォーマット付きＯＣＲの入力とし、出力ファイル  （ワードプロセッサ形式）を￥￥ｐｃ＿ｓｕｚｕｋｉに送信する。
【０１８２】
（３）￥￥ｐｃ−ｓｕｚｕｋｉ（パーソナルコンピュータ）で￥ｄｏｃ￥文書１．ｄｏｃとして保存する。
【０１８３】
同じく、図２４に示したユーザ設定ファイルの中の氏名「鈴木  太郎」さんの第４指の場合の画像入力ジョブは、次に示すようになる。
【０１８４】
（１）画像をメモリに入力する。
【０１８５】
（２）メモリ上の画像を電子メールリーダの入力とする。
【０１８６】
（３）電子メールリーダは宛先と本文をテキスト化し、本文を宛先にメール送信する。
【０１８７】
同じく、図２４に示したユーザ設定ファイルの中の氏名「鈴木  太郎」さんの第５指の場合の画像入力ジョブは、次に示すようになる。
【０１８８】
（１）画像をメモリに入力する。
【０１８９】
（２）メモリ上の画像をＦａｘリーダの入力とする。
【０１９０】
（３）Ｆａｘリーダは宛先をテキスト化、本文をイメージとし、本文を宛先にＦａｘ送信する。
【０１９１】
なお、ユーザのいずれかの指が上述した指定に代えて「発注伝票を原稿とし、ワークフローへの入力とする処理」を指定するようにした場合の画像入力ジョブは、次に示すようになる。
【０１９２】
（１）画像をメモリに入力する。
【０１９３】
（２）メモリ上の画像を発注伝票としてワークフローの入力とする。
【０１９４】
（３）ワークフローは、発注先・品名・発注元などの情報を読取り、発注処理を開始する。
【０１９５】
また、図２５の動作フローにおいて、まず、スキャナ部１００における制御部１１０は、読取部１１５で読取った画像情報を画像メモリ１１７に格納する（ステップＳ３３１）。
【０１９６】
続いて、制御部１１０は、指照合部１１５からのユーザＩＤと、どの指を使用したかの情報を得、このユーザＩＤと、どの指を使用したかの情報からユーザ設定ファイルを検索することにより、該当するユーザおよび指に対応する画像入力ジョブを得る（ステップＳ３３２）。
【０１９７】
続いて、制御部１１０は、その画像入力ジョブを起動し、画像メモリ１１７内の画像をそのジョブの入力として処理する（ステップＳ３３３）。
【０１９８】
この場合におけるメール文書の例を図２６に示すと共に、Ｆａｘ文書の例を図２７に示す。
【０１９９】
また、ユーザのいずれかの指が上述した指定に代えて「発注伝票を原稿とし、ワークフローへの入力とする処理」を指定するようにした場合のワークフローの発注文書の例を図２８に示す。
【０２００】
以上、第１ないし第４の実施の形態に基づいて説明したように、この発明によればスキャナ部を共用する画像入力システムにおいて、以下のような利点が得られる。
【０２０１】
（１）予め、ユーザごとに保存先ディレクトリを設定しておき、指認証に使用された指がどの指であるかによっ保存先を選ぶことができると共に、指照合を用いてユーザを識別できるので、複数のユーザが使用するスキャナで画像を入力するとき、ユーザに余分な操作を要求したりあるいはセキュリティを低下させることなく、入力した画像を各ユーザごとに設定したディレクトリに送信・保存することができる。
【０２０２】
（２）上記（１）では、保存先ディレクトリが固定になるので、複数のディレクトリを使い分ける場合などで不都合が生じることもあるので、予めユーザの指ごとに保存先ディレクトリを設定しておき、指認証に使用された指がどの指であるかによって保存先を選ぶことができるようにすることにより、ユーザに余計な操作を要求することなく、そのユーザが使用する機会の多い複数のディレクトリを容易に選択することができる。
【０２０３】
（３）上記（１）では、保存先ディレクトリを指定して画像をイメージファイルとして入力することができるが、像の内容によっては、単にイメージファイルとするだけでなく、他のファイル形式に変換したり、特定の文書処理ジョブの入力としたりすることができると便利であるので、予めユーザごとに入力した画像に施すジョブを設定しておくことにより、入力した画像をユーザごとに特定のジョブを施すことができる。
【０２０４】
（４）上記（３）では、入力した画像に施すジョブが固定になるので、そのユーザが使用する機会の多いジョブが複数ある場合などで不都合が生じることもあるので、予めユーザの指ごとに入力した画像に施すジョブを設定しておき、認証に使用された指がどの指であるかによってジョブを選ぶことができるようにすることにより、ユーザに余計な操作を要求することなく、そのユーザが使用する機会の多い複数のジョブを容易に選択することができる。
【０２０５】
【発明の効果】
従って、以上詳述したように、この発明によれば、複数のユーザに共用されるスキャナからの入力画像をＬＡＮ（ローカルエリアネットワーク）等を介してファイルサーバやユーザのパーソナルコンピュータ等へ送信する画像入力システムにおいて、複数のユーザが使用するスキャナで画像を入力するとき、ユーザに余分な操作を要求したりあるいはセキュリティを低下させることなく、各ユーザの設定に応じた適切な処理を実行できる画像入力システムおよび画像入力方法を提供することができる。
【図面の簡単な説明】
【図１】この発明の画像入力システムの概略構成を説明するための図。
【図２】スキャナ部の概略構成を説明するための図。
【図３】スキャナ部の操作パネルの概略構成を説明するための図。
【図４】指照合部の概略構成を説明するための図。
【図５】指照合部に用いる制御信号を示す図。
【図６】指照合部により得られる投影信号を説明するための図。
【図７】指照合部の概略構成を説明するための図。
【図８】指照合部の登録部の概略構成を説明するための図。
【図９】指照合部の登録部のデータメモリを説明するための図。
【図１０】指照合部の登録部のデータメモリに格納されるアクセスコマンドを説明するための図。
【図１１】指照合部の登録部の動作概念を説明するためのフローチャート。画像入力処理を説明するためのフローチャート。
【図１２】指照合部の登録処理を説明するためのフローチャート。
【図１３】指照合部の照合処理を説明するためのフローチャート。
【図１４】第１の実施の形態の動作を説明するためのフローチャート。
【図１５】第１の実施の形態のユーザ設定ファイル及びコントロールパネルの表示例を示す図。
【図１６】第１の実施の形態の画像入力処理を説明するためのフローチャート。
【図１７】第２の実施の形態の指ごとの保存先設定を説明するためのフローチャート。
【図１８】第２の実施の形態のユーザ設定ファイルを例示する図。
【図１９】第２の実施の形態の画像入力処理を説明するためのフローチャート。
【図２０】第３の実施の形態のユーザ設定ファイルを例示する図。
【図２１】第３の実施の形態の画像入力処理を説明するためのフローチャート。
【図２２】第３の実施の形態のコントロールパネルの表示例を示す図。
【図２３】第４の実施の形態の指ごとのジョブ設定を説明するためのフローチャート。
【図２４】第４の実施の形態のユーザ設定ファイルを例示する図。
【図２５】第４の実施の形態の画像入力処理を説明するためのフローチャート。
【図２６】第４の実施の形態の画像入力処理におけるメール文書を例示する図。と共に、Ｆａｘ文書の例を図２７に示す。また、ユーザのいずれかの指が上述した指定に代えて「発注伝票を原稿とし、ワークフローへの入力とする処理」を指定するようにした場合のワークフローの発注文書の例を図２８に示す。
【図２７】第４の実施の形態の画像入力処理におけるＦａｘ文書を例示する図。
【図２８】第４の実施の形態の画像入力処理におけるワークフローの発注文書を例示する図。
【符号の説明】
１００…スキャナ部、
１０２…ＬＡＮ（通信回線）、
１０３、１０４…ファイルサーバ、
１０５、１０６…複数台のパーソナルコンピュータ、
１０７…画像入力ジョブサーバ、
１０７ａ…フォーマット付きＯＣＲ、
１０７ｂ…Ｅメールリーダ、
１０７ｃ…ＦＡＸリーダ、
１０７ｄ…ワークフロー、
１１１…指照合部、
１１３…操作パネル、
１１３ｂ…スタートボタン、
１１５…読取部、
１１０…制御部、
１１１…指照合部、
１１２…メモリ部、
１１３ａ…表示部、
１１４…音源部、
１１６…イメージ−コード変換部（ＯＣＲ）、
１１７…画像メモリ、
１１８…ＬＡＮインタフェース。
４０１…複数の線状電極、
４０２…指、
４０４…アナログスイッチ、
４０５…基準抵抗（Ｒｒｅｒ）、
４０６…電源、
４０７…サンプルホールド（Ｓ／Ｈ）回路、
４０８…アナログ／デジタル（Ａ／Ｄ）変換器、
４０９…タイミングパルス発生器、
４１０…パターン入力部、
４１１…指照合制御部、
４１３…登録部、
４１２…読取書込み部、
４２１…制御素子、
４２２…データメモリ、
４２３…ワーキングメモリ、
４２４…プログラムメモリ、
４２５…コンタクト部。
【図１】
0004005165.tif 000006
【図２】
0004005165.tif 000007
【図３】
0004005165.tif 000008
【図４】
0004005165.tif 000009
【図５】
0004005165.tif 000010
【図６】
0004005165.tif 000011
【図７】
0004005165.tif 000012
【図８】
0004005165.tif 000013
【図９】
0004005165.tif 000014
【図１０】
0004005165.tif 000015
【図１１】
0004005165.tif 000016
【図１２】
0004005165.tif 000017
【図１３】
0004005165.tif 000018
【図１４】
0004005165.tif 000019
【図１５】
0004005165.tif 000020
【図１６】
0004005165.tif 000021
【図１７】
0004005165.tif 000022
【図１８】
0004005165.tif 000023
【図１９】
0004005165.tif 000024
【図２０】
0004005165.tif 000025
【図２１】
0004005165.tif 000026
【図２２】
0004005165.tif 000027
【図２３】
0004005165.tif 000028
【図２４】
0004005165.tif 000029
【図２５】
0004005165.tif 000030
【図２６】
0004005165.tif 000031
【図２７】
0004005165.tif 000032
【図２８】
0004005165.tif 000033